(57)【特許請求の範囲】
【請求項１】
垂直軸と、その側面に、針及び針作動要素を夫々収容する複数の軸スロットとを有する少なくとも１つのニードルシリンダを備え、前記針作動要素は、該針作動要素の端部の内の一方で、同一の軸スロットに配置された針と係合可能であり、前記針又は前記針作動要素は、作動カムと係合するために、ニードルシリンダの側面からラジアル方向に突出する少なくとも１つの固定ヒールを有し、前記作動カムは、ニードルシリンダの側面の周りに配置され、前記作動カムに対する前記ニードルシリンダの自軸回りの回転動作の結果として、前記固定ヒールがたどり得る経路を定める、靴下類等のための円形編機において、  前記針作動要素は、移動可能なヒールを有し、該移動可能なヒールは、前記作動カムと係合するように、移動可能なヒールがニードルシリンダの対応する軸スロットからラジアル方向に突出する作動位置から、前記作動カムと係合しないように、移動可能なヒールがニードルシリンダの前記軸スロットに収容される非作動位置へ、及びその逆へ指令により移動可能であり、  前記作動カムは、該作動カムに対してニードルシリンダの回転の方向に連続して配置された引抜きカム、引込みカム及びノックオーバーカムを、編機の少なくとも１つのフィード又はドロップに有し、前記引抜きカムは、対応する針を引抜かれる休止位置へ移動させるために、前記固定ヒールによって常に係合可能であり、前記引込みカムは、作動位置にある前記移動可能なヒールによってのみ係合可能であり、前記引込みカムが前記作動位置にある前記移動可能なヒールと係合すると、前記固定ヒールが前記ノックオーバーカムと係合し、以前に形成された編地のループを下げて、編地の新たなループを形成するために、対応する針が引抜かれる休止位置から引き込まれる位置へ移動させられることを特徴とする編機。
【請求項２】
前記少なくとも１つのフィードは、前記作動カムに対するニードルシリンダの自軸回りの回転の両方向で編地を形成するために、針に糸を供給するようになしてあり、前記フィード又はドロップでは、前記作動カムに対するニードルシリンダの回転の両方向に、夫々引抜きカム、引込みカム及びノックオーバーカムがあることを特徴とする請求項１に記載の編機。
【請求項３】
センターカムが、前記ニードルシリンダの回転の方向に連続して配置された前記引抜きカムと前記ノックオーバーカムとの間に配置され、前記移動可能なヒールの前記引込みカムとの係合の結果として、前記固定ヒールによって係合可能であり、それによって、前記固定ヒールを、前記ノックオーバーカムと係合するように移動させることを特徴とする請求項１に記載の編機。
【請求項４】
前記針作動要素は、  −ニードルシリンダの外部へ向いたその側部に前記移動可能なヒールを有する少なくとも１つの接続要素であり、ニードルシリンダの側面に面し、作動位置で、対応する接続要素作動カムに対するニードルシリンダの自軸回りの回転動作の結果として、前記移動可能なヒールがたどり得る経路を形成する前記接続要素作動カムと係合するように、前記移動可能なヒールがニードルシリンダの対応する軸スロットからラジアル方向に突出する前記作動位置から、前記接続要素作動カムと係合しないように、前記移動可能なヒールがニードルシリンダの前記軸スロットに収容される非作動位置への、及びその逆への前記移動可能なヒールの移動のために、ニードルシリンダのラジアル面で揺動可能である前記接続要素と、  −前記接続要素と該接続要素が収容されるニードルシリンダの軸スロットの底部との間に突出する部分を有し、接続要素の前記移動可能なヒールを前記非作動位置から前記作動位置へ移動させるために少なくとも１つの選択装置の作用によって、ニードルシリンダのラジアル面で揺動可能であるセレクタと  を備えることを特徴とする請求項１乃至３のいずれかに記載の編機。
【請求項５】
前記セレクタは、前記接続要素と、該接続要素が収容されるニードルシリンダの軸スロットの底部との間で、編機の動作の間、前記接続要素が取り得る任意の位置で、前記突出する部分で突出することを特徴とする請求項４に記載の編機。
【請求項６】
前記接続要素は、前記ラジアル面に垂直な回転軸回りに、針の先端又はヘッドの反対側に位置する針の長手方向端部に枢支され、前記接続要素は、前記移動可能なヒールの前記作動位置から前記非作動位置への、又はその逆への移動のために、前記針に対して前記回転軸回りに揺動可能であることを特徴とする請求項４又は５に記載の編機。
【請求項７】
前記針は、その長手方向延長部の中間領域に、ニードルシリンダの対応する軸スロットからラジアル方向に突出し、ニードル作動カムと係合可能な固定ヒールを有し、前記ニードル作動カムは、ニードルシリンダの側面に面し、前記ニードル作動カムに対するニードルシリンダの自軸回りの回転動作の結果として、前記固定ヒールがたどり得る経路を形成することを特徴とする請求項１乃至６のいずれかに記載の編機。
【請求項８】
前記針作動要素は、ニードルシリンダの同一の軸スロットに配置された前記接続要素と針との間に配置された中間要素を含み、前記接続要素は、前記ラジアル面に垂直な回転軸回りに、前記中間要素に枢支され、前記接続要素は、前記移動可能なヒールの前記作動位置から前記非作動位置への、又はその逆への通過のために、前記中間要素に対して前記回転軸回りに揺動可能であることを特徴とする請求項４乃至６のいずれかに記載の編機。
【請求項９】
前記接続要素は、その長手方向端部に隣接した前記回転軸回りに、前記針又は前記中間要素に枢支され、前記移動可能なヒールは、前記接続要素の反対側の長手方向端部に隣接して突出することを特徴とする請求項８に記載の編機。
【請求項１０】
前記針又は中間要素と前記接続要素との間の枢支は、針又は中間要素が収容されるニードルシリンダの軸スロットの底部から離れる方向に向いた前記針又は前記中間要素の側部に位置する突部と、該突部を回転可能に収容し、前記接続要素に形成された座部とによって構成されていることを特徴とする請求項８又は９に記載の編機。
【請求項１１】
前記接続要素は、前記針又は前記中間要素に接続された前記接続要素の端部に、ニードルシリンダの外部へ向いてラジアル方向に突出する第２ヒールを有することを特徴とする請求項８乃至１０のいずれかに記載の編機。
【請求項１２】
下部ニードルシリンダと、該下部ニードルシリンダより上方で、前記下部ニードルシリンダと同軸上に配置された上部ニードルシリンダとを備えるダブルシリンダ編機によって構成され、相互に一列に並んだ複数の軸スロットが、下部ニードルシリンダの側面及び上部ニードルシリンダの側面に形成され、下部ニードルシリンダ及び上部ニードルシリンダの各軸スロットは、針を作動させるための要素を収容し、前記針作動要素は、少なくとも下部ニードルシリンダに、  −前記中間要素を構成し、その長手方向端部の内の一方に隣接して、針のヘッドと係合する手段を有するスライダと、  −前記スライダの、針と係合可能な端部の反対側に位置する長手方向端部に枢支される前記接続要素と、  −前記接続要素と該接続要素が収容されるニードルシリンダの軸スロットの底部との間に、編機の動作の間、前記接続要素が取り得る任意の位置で突出する部分を有し、接続要素の前記移動可能なヒールを前記非作動位置から前記作動位置へ移動させるために、少なくとも１つの選択装置の作用によって、ニードルシリンダのラジアル面で揺動可能である前記セレクタと  を備えることを特徴とする請求項８乃至１１のいずれかに記載の編機。
【請求項１３】
上部ニードルシリンダに配置された針作動要素は、移動可能なヒールを有し、該移動可能なヒールは、対応する作動カムと係合するように、移動可能なヒールがニードルシリンダの対応する軸スロットからラジアル方向に突出する作動位置から、前記作動カムと係合しないように、移動可能なヒールがニードルシリンダの前記軸スロットに収容される非作動位置へ、及びその逆へ指令により移動可能であり、  前記作動カムは、上部ニードルシリンダにも同様に、前記作動カムに対するニードルシリンダの動作に応じて連続して配置された引抜きカム、引込みカム及びノックオーバーカムを、編機の少なくとも１つのフィード又はドロップに有し、前記引抜きカムは、対応する針を引抜かれる休止位置へ移動させるために、前記固定ヒールによって常に係合可能であり、前記引込みカムは、作動位置で前記移動可能なヒールによってのみ係合可能であり、前記引込みカムが前記作動位置で前記移動可能なヒールと係合すると、前記固定ヒールが前記ノックオーバーカムと係合し、以前に形成された編地のループを下げて、編地の新たなループを形成するために、対応する針が引抜かれる休止位置から引き込まれる位置へ移動させられることを特徴とする請求項１２に記載の編機。
【請求項１４】
上部ニードルシリンダの軸スロットに配置された針作動要素は、下部ニードルシリンダの軸スロットに配置された針作動要素と略同様に備えられていることを特徴とする請求項１２又は１３に記載の編機。
【請求項１５】
前記接続要素は、その長手方向端部の内の一方で、前記ラジアル面に垂直な回転軸回りに、前記スライダの、針と係合可能な端部の反対側に位置する長手方向端部に枢支されることを特徴とする請求項１２乃至１４のいずれかに記載に編機。
【請求項１６】
前記スライダは、前記接続要素に枢支される長手方向端部の反対側に位置するその長手方向端部による、針のヘッドの係合又は針のヘッドの解放のために、ニードルシリンダのラジアル面で揺動可能であることを特徴とする請求項１２乃至１５のいずれかに記載の編機。
【請求項１７】
前記接続要素は、前記スライダに枢支される前記接続要素の端部で、ニードルシリンダの外部へ向いてラジアル方向に突出する前記第２ヒールを有し、該第２ヒールは、針の方に向いたその長手方向端部を、スライダが収容されるニードルシリンダの軸スロットの底部から離れさせる方向への、前記ラジアル面での前記スライダの揺動を生み出すために、軸スロットの底部へ向けて押されることが可能であることを特徴とする請求項１２乃至１６のいずれかに記載の編機。
【請求項１８】
前記セレクタは、該セレクタが収容される軸スロットの底部と前記接続要素との間に介在する前記突出する部分から間隔を置いて配置される前記セレクタの長手方向延長部の領域に、セレクタの揺動を引き起こし、その結果、接続要素の前記移動可能なヒールの非作動位置から作動位置への移動を引き起こすために、前記少なくとも１つの選択装置によって、軸スロットの底部に向けて押されることが可能な領域を有することを特徴とする請求項４乃至６及び８乃至１７のいずれかに記載の編機。
【請求項１９】
前記少なくとも１つの選択装置が、針毎に選択する、つまり前記セレクタを互いに独立して作動させるようになしてあることを特徴とする請求項４乃至６及び８乃至１８のいずれかに記載の編機。
【請求項２０】
ニードルシリンダに横方向から面し、ニードルシリンダの前記ラジアル面で前記スライダ及び／又は前記接続要素を揺動させるために、接続要素の前記移動可能なヒールと係合可能な固定プレッサを備えることを特徴とする請求項１２乃至１７のいずれかに記載の編機。
【発明の詳細な説明】
【技術分野】
【０００１】
本発明は、靴下類等のための円形編機に関する。
【背景技術】
【０００２】
公知のように、靴下類のためのダブルシリンダ円形編機は、垂直軸を有する下部ニードルシリンダと、下部ニードルシリンダより上方で、下部ニードルシリンダと同軸上に配置された上部ニードルシリンダとを一般に備え、前記シリンダは、共通軸回りの回転動作で互いに固定して作動可能である。
【０００３】
複数の軸スロットが、下部ニードルシリンダの側面及び上部ニードルシリンダの側面に形成されている。上部ニードルシリンダの軸スロットは、下部ニードルシリンダの軸スロットと一列に並んでいる。底部から、セレクタ及びスライダが、一般に下部ニードルシリンダの各軸スロットに収容されているが、上部ニードルシリンダの各軸スロットはスライダを収容する。２つのニードルシリンダ間では、つまり編成領域では、各軸スロットに、２つの先端又は夫々上ヘッド及び下ヘッドである２つのヘッドを有する針があり、前記針は、平編を提供したいか又はパール編を提供したいかどうかに応じて、その上端で編成するように下部ニードルシリンダ内に移動されるか、又はその下端で編成するように上部ニードルシリンダ内に移動される。
【０００４】
針がヒールを備えていないので、針は、平編を形成する必要があるか又はパール編を形成する必要があるかどうかに応じて、下部ニードルシリンダに配置されたスライダ、又は上部ニードルシリンダに配置されたスライダによって、作動される。
【０００５】
靴下類のためのダブルシリンダ円形編機で現在用いられているスライダは、細長い薄板体によって一般に構成され、下部ニードルシリンダの側面又は上部ニードルシリンダの側面に形成された軸スロットの底部上にあることを意図された第１長手側部を有する。
【０００６】
前記スライダは更に２つのヒールを有し、ヒールは、スライダの長手方向延長部に沿って相互に間隔を置いて配置され、スライダの第１側部の反対側に位置する第２長手側部から横方向に突出する。
【０００７】
これらのヒールは、下部ニードルシリンダ又は上部ニードルシリンダの対応する軸スロットに沿ったスライダの移動を引き起こし、それによって編機の様々なタイプの編成で前記スライダに関連した針の動作を引き起こすように、又は１つのニードルシリンダから別のニードルシリンダに針を移すように、用いられる。
【０００８】
スライダは、その第１長手側部に、つまりスライダが収容される軸スロットの底部の方に向いたその側部に、更にフック状のタブを有し、タブは、スライダが下部ニードルシリンダにあるか又は上部ニードルシリンダにあるかどうかに応じて、針の下ヘッド又は上ヘッドと係合可能である。
【０００９】
下部ニードルシリンダの側面の周り、及び上部ニードルシリンダの側面の周りには、複数のスライダ作動カムがあり、ニードルシリンダが前記カムに対して自軸回りの回転動作で作動されるとき、スライダのヒールが係合する一連の経路を定める。カムによって定められた経路は、スライダが収容されるニードルシリンダの軸スロットに沿ったスライダの移動を引き起こし、結果的にスライダに関連した針の動作を引き起こすように形作られている。
【００１０】
現在市販している靴下類のためのダブルシリンダ円形編機では、スライダのヒールのための経路を定める多くのカムが、ニードルシリンダに対してラジアル方向に移動可能であるように備えられており、その結果、カムは、スライダのヒールによって係合されるように、ニードルシリンダに接近する作動位置から、スライダのヒールと干渉しないようにニードルシリンダから間隔を置いて配置される非作動位置に、又はその逆に、移されることが可能で、スライダのヒールのための経路を変えることができ、結果的に編機が行なうことができる編成のタイプを変えることができる。
【００１１】
様々な種類の編成を生み出すために必要であるこれらの移動可能なカム及び対応するアクチュエータの存在は、編機全体の構造の複雑さを著しく増加させる問題がある。
【００１２】
更に、これら移動可能なカムの存在により、編機に搭載され、適切に準備された作動プログラムの供給を余儀なくされ、電源供給の不足による編機の不測の停止が生じて、編成が再開される前に、移動可能なカムを正確な位置に戻す場合に、編機が先に移動可能なカムを正確な位置に戻されることなく再開すると、スライダのヒールが壊れるかもしれないので、プログラムが介入する。
【００１３】
実際、これら移動可能なカムの存在により、電源供給が中断された場合、移動可能なカムの位置を格納する電子プログラムの編機への供給が必要とされ、これは、編機の製造での一層の複雑化を引き起こす。
【００１４】
同様であるがより小さな問題は、靴下類のためのシングルシリンダ円形編機に、つまり単一のニードルシリンダを備える編機に認められ、編機は、対応する軸スロットから突出し、ニードルシリンダの周りに配置されたニードル作動カム及びサブニードル作動カムによって定められた経路と係合可能なヒールを有する針と、任意にはサブ針とを用いており、針及び／又はサブ針のヒールによって係合されるようにカムがニードルシリンダに接近する作動位置から、針及び／又はサブ針のヒールに干渉しないようにニードルシリンダから間隔が置かれる非作動位置に、又はその逆に、カムが移動可能であるように、前記カムのいくつかはニードルシリンダに対してラジアル方向に移動可能であるので、針のヒールのための経路を変え、ひいては編機が行なうことができる編成のタイプを変えることを可能にする。
【特許文献１】国際公開第０２／０４２５３６号パンフレット
【発明の開示】
【発明が解決しようとする課題】
【００１５】
本発明の意図は、限られた数の移動可能なカムで、又は全く移動可能なカムなしで正確に動作することができる靴下類等のための円形編機を提供することにより、上述された問題を解決することである。
【００１６】
この意図の範囲内で、本発明の目的は、シングルシリンダ編機の場合にはニードルシリンダの周りに、ダブルシリンダ編機の場合には複数のニードルシリンダの周りに配置された一組の作動カムが、編機の公知のタイプに対して著しく単純化される編機を提供することである。
【００１７】
本発明の別の目的は、ニードルシリンダ又は複数のシリンダの周りに配置された作動カムの単純化にもかかわらず、従来のタイプの靴下類のための円形編機で可能な通常のタイプの編成を今までどおり行なうことが可能な編機を提供することである。
【課題を解決するための手段】
【００１８】  この意図、並びにこれらの目的及び以下に明らかとなるその他の目的は、垂直軸と、その側面に、針及び針作動要素を夫々収容する複数の軸スロットとを有する少なくとも１つのニードルシリンダを備え、前記針作動要素は、該針作動要素の端部の内の一方で、同一の軸スロットに配置された針と係合可能であり、前記針又は前記針作動要素は、作動カムと係合するために、ニードルシリンダの側面からラジアル方向に突出する少なくとも１つの固定ヒールを有し、前記作動カムは、ニードルシリンダの側面の周りに配置され、前記作動カムに対する前記ニードルシリンダの自軸回りの回転動作の結果として、前記固定ヒールがたどり得る経路を定める、靴下類等のための円形編機において、前記針作動要素は、移動可能なヒールを有し、該移動可能なヒールは、前記作動カムと係合するように、移動可能なヒールがニードルシリンダの対応する軸スロットからラジアル方向に突出する作動位置から、前記作動カムと係合しないように、移動可能なヒールがニードルシリンダの前記軸スロットに収容される非作動位置へ、及びその逆へ指令により移動可能であり、前記作動カムは、該作動カムに対してニードルシリンダの回転の方向に連続して配置された引抜きカム、引込みカム及びノックオーバーカムを、編機の少なくとも１つのフィード又はドロップに有し、前記引抜きカムは、対応する針を引抜かれる休止位置へ移動させるために、前記固定ヒールによって常に係合可能であり、前記引込みカムは、作動位置にある前記移動可能なヒールによってのみ係合可能であり、前記引込みカムが前記作動位置にある前記移動可能なヒールと係合すると、前記固定ヒールが前記ノックオーバーカムと係合し、以前に形成された編地のループを下げて、編地の新たなループを形成するために、対応する針が引抜かれる休止位置から引き込まれる位置へ移動させられることを特徴とする編機によって達成される。【００１９】
本発明の更なる特徴及び利点は、添付図面の非限定例で示した本発明に係る編機の２つの好ましいが排他的でない実施形態の説明からより理解できる。
【発明を実施するための最良の形態】
【００２０】
靴下類のためのシングルシリンダ円形編機を参照する、図１乃至５に示された第１実施形態に関して、本発明に係る編機は、垂直軸101aとその側面に複数の軸スロット102 とを有するニードルシリンダ101 を備え、各軸スロットは針106 と針106 のための作動要素110 とを収容する。
【００２１】
作動要素110 は少なくとも１つの接続要素104 を含み、接続要素は、ニードルシリンダ101 の外部に向いたその側部に、少なくとも１つの移動可能なヒール104aを有する。接続要素104 は、ニードルシリンダ101 のラジアル面で揺動可能であり、それ故、図２に示された、移動可能なヒール104aがニードルシリンダ101 の対応する軸スロット102 からラジアル方向に突出することにより、ニードルシリンダ101 の側面に面して、作動位置での、対応する接続要素作動カム109 に対するニードルシリンダ101 の自軸101a回りの回転動作の結果として、移動可能なヒール104aがたどり得る経路を定める接続要素作動カム109 と係合する作動位置から、図１に示された、移動可能なヒール104aがニードルシリンダ101 の軸スロット102 に収容されることにより、接続要素作動カム109 と係合しない非作動位置への、及びその逆への移動可能なヒール104aの移動を引き起こす。
【００２２】
作動要素110 は更にセレクタ105 を含み、セレクタは、細長い薄板体を有し、接続要素104 と接続要素が収容されるニードルシリンダ101 の軸スロット102 の底部との間に、好ましくは、セレクタ105 によって常に接続要素104 に作用することが可能であるように、編機の動作の間、接続要素104 が取り得る任意の位置で突出する部分114 を有する。セレクタ105 は、ニードルシリンダ101 のラジアル面で揺動可能であるので、接続要素104 の移動可能なヒール104aの非作動位置から作動位置への移動を生み出す揺動の方向での接続要素104 の揺動を引き起こす。
【００２３】
接続要素104 は細長い薄板体を有し、針106 の先端又はヘッドの反対側に位置する針106 の長手方向端部に接続されている。
【００２４】
好ましくは、接続要素104 は、ラジアル面に、つまり軸スロット102 に挿入される接続要素104 の配置面に垂直である回転軸111 回りに、針106 に枢支される。接続要素104 は、針106 に対して前記回転軸111 回りに揺動可能であるので、移動可能なヒール104aの作動位置から非作動位置への、又はその逆への移動を生み出す。
【００２５】
針106 は、その長手方向延長部の中間領域に、ニードルシリンダ101 の対応する軸スロット102 からラジアル方向に突出し、ニードル作動カム108 と係合することができる固定ヒール103aを有し、ニードル作動カムは、ニードルシリンダ101 の側面に面し、ニードル作動カム108 に対するニードルシリンダ101 の自軸101a回りの回転動作の結果として、固定ヒール103aがたどり得る経路を定める。
【００２６】
図１乃至５に示された実施形態では、接続要素104 は、針106 に直接枢支されるが、代案として、ニードルシリンダ101 の同一の軸スロット102 に配置された接続要素104 及び針106 間に配置された中間要素に枢支されてもよい。この場合、中間要素は、針106 に接続されてもよく、好ましくは、ニードルシリンダ101 の軸101aと平行な交替移動を針106 に伝えるように相互接続で接続されてもよい。この場合、接続要素104 は、ラジアル面に垂直な回転軸回りに、中間要素に枢支されることにより、移動可能なヒール104aの作動位置から非作動位置への、又はその逆への移動のために、中間要素に対して前記回転軸回りに揺動可能である。
【００２７】
接続要素104 は、その長手方向端部に隣接する回転軸111 回りに、針106 又は中間要素に枢支され、移動可能なヒール104aは、接続要素104 の反対側の長手方向端部に隣接して位置する。
【００２８】
接続要素104 と針106 又は中間要素との間の枢支は、好ましくは、針又は中間要素が収容される軸スロット102 の底部に対して反対方向に向いた針106 又は中間要素の側部に位置する突部112 と、軸111 回りに回転可能であるように突部112 を収容し、接続要素104 に形成された座部113 とによって構成される。
【００２９】
このようにして、相互接続は、針106 又は中間要素と接続要素104 との間で、針106 又は中間要素又は接続要素104 の対応する作動カム108,109 との係合によって生み出された、軸スロット102 に沿った針106 又は中間要素と接続要素104 とのスライド移動で確立される。
【００３０】
好ましくは接続要素104 は、針106 又は中間要素に接続された接続要素の端部に、ニードルシリンダ101 の外部に向いてラジアル方向に突出する第２ヒール104bを有する。この第２ヒール104bは、ニードルシリンダ101 の側面から常に突出し、特定の場合には、針106 、任意の中間要素及び接続要素104 によって構成された組立体の把持要素として、編機の保守の間に組立体を交換するために用いることができる。
【００３１】
ニードル作動カム108 及び接続要素作動カム109 は、針106 のヒール103aによって、作動位置では接続要素104 の移動可能なヒール104aによって係合されることが可能な経路を定める。これらの経路は、それらが収容されるニードルシリンダ101 の軸スロット102 に沿って、針106 、及び針と係合する接続要素104 のスライド移動を引き起こすように形作られ、それ故、ニードルシリンダ101 が前記カムに対する自軸101a回りの回転動作で作動されるとき、針106 によって編地が形成されるか、又は、針106 を非作動状態又は「休止(off-work)」状態に維持する。
【００３２】
ニードル作動カム108 及び接続要素作動カム109 は、図にその位置が線A によって示される、編機の少なくとも１つのフィード又はドロップに、引抜きカム128 、引込みカム132 及びノックオーバーカム129 を含み、それらは、作動カム108,109 に対するニードルシリンダ101 の自軸101a回りの、矢印135 によって示される回転方向に連続して配置されている。引抜きカム128 は、対応する針106 の引抜かれる休止位置への移動を引き起こすために、固定ヒール103aによって常に係合されることが可能である。引込みカム132 は、作動位置で接続要素104 の移動可能なヒール104aによってのみ係合されることができ、それによって、以前に形成された編地のループを下げて、編地の新たなループを形成するために、針106 を引抜かれる休止位置から引き込まれる位置に移動させるノックオーバーカム129 をその固定ヒール103aと係合させるようなレベルに針106 を移動させる。
【００３３】
有利には、本発明に係る編機は、回転の２方向に自軸回りの回転動作で作動可能であり、前記フィードA は、作動カム108,109 に対するニードルシリンダ101 の自軸101a回りの回転の両方向で編機の針に糸を供給するようになしてある。この目的のために、考慮対象のフィードA には、更に引抜きカム130 、引込みカム133 及びノックオーバーカム131 があり、それらは、作動カム108,109 に対するニードルシリンダ101 の自軸101a回りの、矢印136 によって示される回転の反対方向に連続して配置される。引抜きカム130 は、対応する針106 の引抜かれる休止位置への移動を引き起こすために、固定ヒール103aによって常に係合されることができる。引込みカム133 は、作動位置で接続要素104 の移動可能なヒール104aによってのみ係合されることができ、それによって、以前に形成された編地のループを下げて、編地の新たなループを形成するために、針106 を引抜かれる休止位置から引き込まれる位置に移動させるノックオーバーカム131 をその固定ヒール103aと係合させるようなレベルに針106 を移動させる。
【００３４】
ニードル作動カム108 は、更に、ノックオーバーカム129,131 間に配置されたセンターカム126 及びセンター補足カム127 を含む。
【００３５】
示された実施形態では、引込みカム132,133 は一体に備えられているが、個別のカムとして備えられてもよい。
【００３６】
ニードル作動カム108 及び接続要素作動カム109 に加えて、一組のカムには、接続要素作動カム109 の領域に、接続要素104 に夫々作用することができるプレッサ162,163 があり、ニードルシリンダ101 のラジアル面での接続要素の揺動を引き起こして、移動可能なヒール104aを作動位置から非作動位置へ移動させる。
【００３７】
これらのプレッサは、固定されている、つまりカムボックス又は支持体に固定して接続されているので、それらの操作のためのアクチュエータを必要としない。
【００３８】
靴下類のためのダブルシリンダ円形編機を参照する、図６乃至10に示された第２実施形態に関して、本発明に係る編機は、垂直軸1aを有する下部ニードルシリンダ１と、下部ニードルシリンダ１より上方で、下部ニードルシリンダと同軸上に配置された上部ニードルシリンダ42とを備える。相互に一列に並んだ複数の軸スロット2,43が
、下部ニードルシリンダ１の側面及び上部ニードルシリンダ42の側面に形成されている。針６のための作動要素10,10'が、下部ニードルシリンダ１及び上部ニードルシリンダ42の各軸スロット2,43に収容されており、ダブルヘッド又は先端を有する針６は、ニードルシリンダ1,42の内の一方に、ニードルシリンダ1,42の相互に面する軸方向端部に隣接して配置されている。
【００３９】
以下に「下部作動要素」として参照される下部ニードルシリンダ１に配置された作動要素10は、スライダ３を含み、スライダは、その長手方向端部の内の一方に隣接した、針６のヘッドと係合する手段を有する。下部作動要素10は更に、接続要素104 と同様の接続要素４を含み、接続要素は、スライダ３の、針６と係合可能な端部の反対側に位置する長手方向端部に枢支されている。
【００４０】
実質上、スライダ３は、本発明に係る編機の第１実施形態で上記に検討された中間要素に概念的に例えることができる。
【００４１】
下部作動要素10は、接続要素４の移動可能なヒール4aの非作動位置から作動位置への移動を生み出す揺動の方向に、スライダ３に対する接続要素４の揺動を引き起こすために、ニードルシリンダ１のラジアル面で揺動可能なセレクタ５を、接続要素４の下方に含む。
【００４２】
針６が上部ニードルシリンダ42に配置されるときの前記針のための対応する上部作動要素10' は、上部ニードルシリンダ42の各軸スロット43内に収容される。好ましくは、前記上部作動要素10' は、底部から上方に向かって、スライダ3'、接続要素4'及びセレクタ5'を含み、それらは、好ましくは下部ニードルシリンダ１に関して以下に説明される要素と同様に備えられている。上部ニードルシリンダ42は、上記に挙げられた軸スロット及びそこに収容される要素に関して、下部ニードルシリンダ１と略同様に、しかし反転された位置に備えられている。この理由により、図６及び７では、上部ニードルシリンダ42は部分的にのみ示されている。
【００４３】
針６は、２つの先端又は夫々下ヘッド6a及び上ヘッド6a' であるヘッド6a,6a'を含み、平編を提供したいか又はパール編を提供したいかどうかに応じて、針は、その上端6a' で編成するように下部ニードルシリンダ１に移されるか、又はその下端6aで編成するように上部ニードルシリンダ42に移される。
【００４４】
針６がヒールを備えていないので、針は、平編を形成すべきであるか又はパール編を形成すべきであるかどうかに応じて、下部作動要素10又は上部作動要素10' によって作動される。
【００４５】
本発明に係る編機の下部ニードルシリンダ１の軸スロット２に配置されたスライダ３、接続要素４及びセレクタ５は、以下に説明され、この説明は、好ましくは、上部ニードルシリンダ42の軸スロット43に配置されたスライダ3'、接続要素4'及びセレクタ5'にも適用されるが、要素3',4',5'の位置が要素3,4,5 の位置に対して反転しており、スライダ３が針６の下ヘッド6aと係合可能である一方、スライダ3'が針６の上ヘッド6a' と係合可能であるという事実を当然考慮に入れる。
【００４６】
スライダ３は、細長い薄板体を有し、針６の方に向いたその長手方向端部に隣接した、それ自体公知のように、針６の下ヘッド6aと係合可能なフック状のタブ７によって構成された係合手段を含む。
【００４７】
スライダ３は、対応する軸スロット２の底部の方に向いた第１長手側部と、その反対側の長手方向側部に固定ヒール3aとを有し、固定ヒールは、スライダ３の第１長手側部に略直角に、つまり下部ニードルシリンダ１に対してラジアル方向に位置して、下部ニードルシリンダ１の側面からラジアル方向に突出しており、それによって下部ニードルシリンダ１の側面に面するスライダ作動カム８と係合する。
【００４８】
スライダ３は、その第１長手側部に、その下端部に隣接して、下部ニードルシリンダ１のラジアル面でスライダを揺動可能にする傾斜部を有し、それによってフック状のタブ７によって針６の下ヘッド6aと係合するか又は係合を外す。
【００４９】
接続要素４は、細長い薄板体を有し、スライダ３の、針６と係合可能な端部に対して反対側に位置する長手方向端部に接続されている。接続要素４は、下部ニードルシリンダ１の外側に向いたその側部に、少なくとも１つの移動可能なヒール4aを有する。
【００５０】
接続要素４は、スライダ３に対して下部ニードルシリンダ１のラジアル面で揺動可能であり、それによって、移動可能なヒール4aが、接続要素作動カム９と係合するように対応する軸スロット２からラジアル方向に突出する作動位置から、移動可能なヒール4aが、接続要素作動カム９と係合しないように対応する軸スロット２に収容される非作動位置への、及びその逆への、その移動可能なヒール4aの移動を引き起こす。
【００５１】
接続要素４は、好ましくは、その上部の長手方向端部によって、接続要素４が配置されるラジアル面に垂直な回転軸11回りに、スライダ３の、針６と係合可能な端部に対して反対側に位置する下部の長手方向端部に枢支される。枢支は、好ましくは、軸スロット２の底部から離れる方向に向いたスライダ３の側部上に位置する突部12と、回転自在に前記突部12を収容し、接続要素４に形成された座部13とによって行なわれる。
【００５２】
このようにして、相互接続が、スライダ３と接続要素４との間に、スライダ３又は接続要素４と対応する作動カム8,9 との係合によって生み出された、軸スロット２に沿ったスライダ３及び接続要素４のスライド移動で確立される。
【００５３】
好都合なことに、接続要素４は、スライダ３に接続された接続要素の端部に、下部ニードルシリンダ１の外部に向いてラジアル方向に突出する第２ヒール4bを有する。この第２ヒール4bは、軸スロット２の底部へ向けて押されることが可能で、それによってフック状のタブ７を有するその長手方向端部、つまり針６の方に向いた端部を、スライダが収容される下部ニードルシリンダ１の軸スロット２の底部から離れさせる揺動の方向に、スライダが位置する下部ニードルシリンダ１のラジアル面でスライダ３を揺動させて、スライダ３を針６の下ヘッド6aから外す。
【００５４】
セレクタ５も、細長い薄板体を有し、接続要素４に関してスライダ３に対する反対側に配置されている。
【００５５】
セレクタ５は、接続要素４と下部ニードルシリンダ１の軸スロット２の底部との間に、好ましくは、編機の動作の間、接続要素４が取り得る任意の位置で突出する部分14を有しており、それ故、セレクタ５によって常に接続要素４に作用することが可能である。
【００５６】
どちらの実施形態でも、セレクタ5,105 は、接続要素4,104 の移動可能なヒール4a,104a の非作動位置から作動位置への移動を生み出すように、接続要素4,104 の回転軸11,111回りの揺動を生み出すために、下部ニードルシリンダ１又はニードルシリンダ101 のラジアル面で、少なくとも１つの選択装置の動作を介して揺動可能である。
【００５７】
スロット2,102 の底部の方に向いたセレクタ5,105 の側部は、前記側部の残り部分に対して傾斜した部分15,115を有し、実際セレクタ5,105 の前記揺動を可能にする。
【００５８】
セレクタ5,105 は、その反対側に、セレクタが収容される軸スロット2,102 の底部と接続要素4,104 との間に介在するその一部分14,114から間隔を置いて配置されるその長手方向延長部の領域に、軸スロット2,102 の底部へ向けて押されることが可能な少なくとも１つの押圧可能領域16a,116a,16b,116b を有しており、それによって、セレクタ5,105 の前記揺動を引き起こし、結果的に、移動可能なヒール4a,104a の非作動位置から作動位置への移動を生み出す接続要素4,104 の揺動を引き起こす。
【００５９】
図示された実施形態では、２つの押圧可能領域があり、夫々、セレクタ5,105 の、スライダ３又は針106 の方に向いた端部の反対側に位置する長手方向端部に配置された押圧可能領域16a,116a、及び中間領域に配置された押圧可能領域16b,116bである。
【００６０】
押圧可能領域16b,116bは、編機に装備される様々なセレクタのために、セレクタ5,105 の長手方向に、異なる延長部を有することができるか、又は異なって配置されることができ、前記押圧可能領域16b,116bの延長部に応じて、セレクタ5,105 で多様な作用を可能にする。
【００６１】
接続要素4,104 の移動可能なヒール4a,104a の非作動位置から作動位置への移動を引き起こすためのセレクタ5,105 の揺動は、例えばイタリア特許第IT1312277 号に記載されている装置のような公知のタイプの選択装置によって達成されることができ、この選択装置は、針毎の選択を可能にし、つまり、編機の様々なセレクタを、特に下部ニードルシリンダ１又はニードルシリンダ101 の２つの隣接する軸スロット2,102 に配置された２つのセレクタ5,105 でさえ、互いに独立して作動させることができる。
【００６２】
この種の選択装置は、下部ニードルシリンダ１又はニードルシリンダ101 の側面に面して、セレクタ5,105 の、一部分14,114の反対側に位置する長手方向端部に配置された押圧可能領域16a,116aに、又は押圧可能領域16b,116bに指令により作用することができるプッシャー又はカムを有しており、それによって、接続要素4,104 の移動可能なヒール4a,104a の非作動位置から作動位置への移動を引き起こす揺動の方向にセレクタ5,105 の揺動を引き起こす。
【００６３】
第１実施形態では、２つの選択点があり、各選択点には選択装置があり、夫々、選択装置121 は、ニードルシリンダ101 の自軸101a回りの回転135 の方向に編機のフィードA の直ぐ上流側に配置され、ニードルシリンダ101 が回転135 の前記方向に作動されるとき、前記フィードA で編成する必要がある針106 を選択するために用いられ、選択装置122 は、ニードルシリンダ101 の自軸101a回りの回転136 の反対方向に編機のフィードA の直ぐ上流側に配置され、ニードルシリンダ101 が回転136 の前記反対方向に作動されるとき、前記フィードA で編成する必要がある針106 を選択するために用いられる。
【００６４】
第２実施形態では、下部ニードルシリンダ１に関して５つの選択点があり、各選択点には選択装置があり、夫々、選択装置21は、ニードルシリンダ1,42の自軸回りの回転35の方向に編機のフィードA の直ぐ上流側に配置され、ニードルシリンダ1,42が回転35の前記方向に作動されるとき、前記フィードA で、下部ニードルシリンダ１で編成する必要がある針を選択するために用いられ、選択装置22は、ニードルシリンダ1,42の自軸回りの回転36の反対方向に編機のフィードA の直ぐ上流側に配置され、ニードルシリンダ1,42が回転36の前記反対方向に作動されるとき、前記フィードA で、下部ニードルシリンダで編成する必要がある針を選択するために用いられ、選択装置23は、１つのニードルシリンダから別のニードルシリンダへの針の移動の間に用いられ、２つの追加の選択装置24,25 がある。
【００６５】
同様に、上部ニードルシリンダ42の各軸スロットには、スライダ3'、接続要素4'及びセレクタ5'が配置され、それらは、好ましくは下部ニードルシリンダ１に関して説明されたスライダ３、接続要素４及びセレクタ５と同様に備えられている。スライダ３、接続要素４及びセレクタ５に関して既に説明された部分に相当するスライダ3'、接続要素4'及びセレクタ5'の部分は、同一の参照番号によって示されている。
【００６６】
上部ニードルシリンダ42に関して、上述された要素と同様に、更に選択装置を備えることが可能であり、任意には、針が上部ニードルシリンダ42にあるときは、針を選択する必要性が一般にそれほど頻繁ではないという事実を考慮して、より少ない数の選択装置を備えることが可能であり、選択装置は、上部ニードルシリンダ42に配置されたセレクタ5'に作用するために、上部ニードルシリンダ42の側面に面する。特に、選択点21と同様の選択点を備えることが可能であり、この選択点は、ニードルシリンダ1,42の自軸回りの回転35の方向に編機のフィードA の直ぐ上流側に配置されて、ニードルシリンダ1,42が回転35の前記方向に作動されるとき、前記フィードA で上部ニードルシリンダ42で編成する必要がある針を選択するために用いられ、更に、２つの追加の選択装置24,25 と同様の選択装置を備えることが可能である。
【００６７】
下部ニードルシリンダ１に関して上述された要素と同様に、上部ニードルシリンダ42に配置されスライダ3'及び接続要素4'のためのスライダ作動カム8'及び接続要素作動カム9'があり、前記カムは上部ニードルシリンダ42の側面の周りに配置されている。
【００６８】
スライダ作動カム8,8'及び接続要素作動カム9,9'は、針６の作動要素10,10'の一組の作動カムを構成し、スライダ3,3'のヒール3aによって、作動位置で接続要素4,4'の移動可能なヒール4aによって係合されることが可能な経路を定める。これらの経路は、スライダ及び接続要素が収容される対応するニードルシリンダの軸スロットに沿って、スライダ3,3'及びスライダと係合する接続要素4,4'のスライド移動を引き起こすように形作られ、それによって針６による編地の形成を達成し、例えば、下部ニードルシリンダ１から上部ニードルシリンダ42への、及びその逆への針６の移動等、編機の他の操作状態を達成し、又は、ニードルシリンダ1,42が一組のカムに対して自軸回りの回転動作で作動されるとき、スライダが係合する針６のための非作動状態又は「休止"off work"」状態でスライダ3,3'に維持する。
【００６９】
尚、図示された実施形態では、本発明に係る編機の一組のカムは、固定カムのみから構成されている。
【００７０】
図８乃至10は、第２実施形態に関して、フィード又はドロップA に隣接した、本発明に係る編機の一組のカムの可能な実施形態の一部を示し、フィード又はドロップでは、針６が、下部ニードルシリンダ１に配置された場合、一組のカムに対する編機のニードルシリンダ1,42の自軸回りの回転35の一方向及び回転36の反対方向での動作の両方の間、編地を形成することができる。
【００７１】
表現の単純化のために、編機が前記フィードA のみ有していると仮定するが、編機が、条件に応じて、少なくとも一回転方向でのニードルシリンダ1,42の自軸回りの回転の間、編地を形成するために用いることができる多数のフィード又はドロップを有することができるという事実に変わりはない。
【００７２】
前記フィードA では、下部ニードルシリンダ１のスライダ８の作動カムとして、センターカム26、センター補足カム27、引抜き（又は上げ）カム28、ニードルシリンダ1,42の回転35の方向での回転動作におけるノックオーバーカム29、引抜き（又は上げ）カム30、及びニードルシリンダ1,42の反対方向の回転動作36におけるノックオーバーカム31が示されている。
【００７３】
引抜き（又は下げ）カム28' 及びノックオーバーカム29' は、上部ニードルシリンダ42のスライダ作動カム8'間に示されている。
【００７４】
下部ニードルシリンダ１の接続要素作動カム９間には、引抜きカム28とセンターカム26との間に配置された引込み（又は下げ）カム32があり、引抜きカム30とセンターカム26との間に配置された引込み（又は下げ）カム33があり、編地の形成の間、接続要素４と、ひいては針６を作動させるために用いられる。図示された実施形態では、引込みカム32,33 は一体に形成されているが、個別のカムとして備えられてもよい。
【００７５】
上部ニードルシリンダ42の接続要素作動カム9'間には、引抜きカム28' とノックオーバーカム29' との間に配置された引込みカム34と、引抜きカム68とがあり、前記カムは、編地の形成の間、接続要素4'と、ひいては針６を作動させるために用いられる。
【００７６】
尚、引抜きカム28,28'は、ニードルシリンダ1,42の回転35の方向での動作の間、スライダ3 又は3'の固定ヒール3aによって常に係合可能であり、同様に、引抜きカム30は、引抜きされる休止位置での対応する針６の移動を生み出すために、矢印36によって示される、反対方向でのニードルシリンダ1,42の動作の間、スライダ３の固定ヒール3aによって常に係合可能である一方、引込みカム32,34 は、ニードルシリンダ1,42の回転35の方向での回転動作の間、引込みカム33は、ニードルシリンダ1,42の回転36の反対方向での回転動作の間、作動位置で移動可能なヒール4aによってのみ係合可能であり、それによって、以下に明らかになるように、以前に形成された編地のループを下げて、編地の新たなループを形成するために、スライダ３又は3'を、対応する針６を引抜かれる休止位置から引込まれる位置に移動させるノックオーバーカム29又は29' 又は31をその固定ヒールと係合させるようなレベルに運ぶ。
【００７７】
スライダ作動カム8,8'及び接続要素作動カム9,9'に加えて、一組のカムには、スライダ作動カム8,8'の領域にはプレッサ53,54,57,60 があり、接続要素作動カム9,9'の領域にはプレッサ61,62,63,64,65,66,67があり、スライダ作動カム8,8'と接続要素作動カム9,9'との間の中間領域には、プレッサ55,58 があり、それらは、ニードルシリンダ1,42のラジアル面でのそれらの揺動を引き起こすために、スライダ3,3'及び接続要素4,4'に夫々作用することができる。
【００７８】
これらのプレッサは、固定されている、つまりカムボックス又は支持体に固定して接続されているので、それらの操作のために何のアクチュエータも必要としない。
【００７９】
接続要素作動カム9,9'間には、１つのニードルシリンダから別のニードルシリンダに針６を移動させるために、接続要素4,4'と、ひいてはスライダ3,3'を作動させることを主として意図されたカムがある。
【００８０】
特に、スライダ3'の、対応する針６と係合するための位置への下げを引き起こすように、上部ニードルシリンダ42に配置された接続要素4'によって係合可能な上部固定下げカム51と、スライダ３を、対応する針６の係合に相当する位置に上げるために、下部ニードルシリンダ１に配置された接続要素４によって係合可能な下部固定下げカム52とが備えられている。
【００８１】
上部固定下げカム51及び下部固定上げカム52は、矢印35によって示される、一組のカムに対するニードルシリンダの自軸回りの回転の方向に選択装置23の上流側に配置されている。
【００８２】
この回転35の方向の、上部固定下げカム51及び下部固定上げカム52の直ぐ下流側の、前記カムと選択装置23との間に、夫々上部閉鎖プレッサ53及び下部閉鎖プレッサ54であるプレッサがあり、スライダ3'及びスライダ３が、対応する針６の上ヘッド6a' 及び下ヘッド6aと係合可能なそれらの端部で、スライダが対応する軸スロット２の底部から離れる方向に揺動する状態では、プレッサに対して夫々係合可能である。
【００８３】
選択装置23と略一列に並んで、上部開口プレッサ55があり、上部開口プレッサは、上部ニードルシリンダ42の側面に面し、上部ニードルシリンダ42に配置された接続要素4'のヒール4bと係合可能であり、それによってスライダ3'の揺動を引き起こして、対応する針６の方に向いたそれらの端部を、対応する軸スロット２の底部から離れる方向に移動させる。
【００８４】
選択装置23の、この場合も矢印35によって示された回転の方向の直ぐ下流側で、下部固定下げカム56が、下部ニードルシリンダ１の側面に面し、下部ニードルシリンダ１に配置され、前記選択装置23によって作動位置にそれらの移動可能なヒール4aで移動した接続要素４によってのみ係合可能である。
【００８５】
下部固定下げカム56の、矢印35によって示された回転の方向への始動直後、上部閉鎖プレッサ57が、上部ニードルシリンダ42の側面に面し、上部ニードルシリンダ42に配置されたスライダ3'と係合可能であり、それによってスライダ3'の揺動を引き起こして、対応する針６の方に向いたそれらの端部を、対応する軸スロット２の底部に向けて移動させる。
【００８６】
下部固定下げカム56の、矢印35によって示された回転の方向への始動後、下側開口プレッサ58が、下部ニードルシリンダ１の側面に面し、下部ニードルシリンダに配置され、非作動位置にそれらの移動可能なヒール4aを有する、つまり下部固定下げカム56と係合しない接続要素４のヒール4bによってのみ係合可能である。下側開口プレッサ58は、対応する針６の方に向いたそれらの端部を、対応する軸スロット２の底部から離れさせるために、下側開口プレッサと係合するスライダ３の揺動を引き起こすことを意図されている。
【００８７】
最後に、下側開口プレッサ58の、この場合も矢印35によって示された回転の方向への下流側に、上部固定上げカム59が、上部ニードルシリンダ42の側面に面し、上部ニードルシリンダ42に配置された接続要素4'のヒール4aによって係合可能であり、下部閉鎖プレッサ60が、下部ニードルシリンダ１の側面に面し、スライダ３によって係合可能であり、それによって下側開口プレッサ58が作用したスライダ３を、針６の方に向いたそれらの端部が対応する軸スロット２の底部に近接する位置に戻す。
【００８８】
本発明に係る編機の操作を以下に示す。
【００８９】
図３乃至５は、第１実施形態での、針106 及びそれに関連した接続要素104 のヒール103a,104a がたどる経路を示し、図８乃至10は、第２実施形態での、スライダ3,3'及びそれに関連した接続要素4,4'のヒール3a,4a,4bがたどる経路を示す。
【００９０】
接続要素4,4',104のヒール4a,104a の作動位置と非作動位置とを区別するために、作動位置でのヒール4a,104a は陰をつけて、非作動位置でのヒールは陰をつけていない。
【００９１】
通常又はより一般に用いられる、矢印35,135によって示された、一組のカムに対する、ダブルシリンダ編機の場合にはニードルシリンダ1,42の、シングルシリンダ編機の場合にはニードルシリンダ101 の自軸回りの回転方向では、下部ニードルシリンダ１でスライダ３と係合された針６又は針106 は、考慮対象のフィードA で編地を形成する必要がないとき、プレッサ62,162が、作動位置にあってもよい接続要素4,104 のヒール4a,104a を非作動位置に移動させた後、選択装置21,121はセレクタ5,105 に作用しない。この事実の結果として、接続要素4,104 は、そのヒール4a,104a で引込みカム32,132、それ故スライダ３又は針106 と係合せず、スライダ３は、その固定ヒール3a,103a で引抜きカム28と係合した後、もはや下げられず、センターカム26,126の上を通過する。針6,106 は、図３及び８に示されるように、休止位置で上げられたままであり、考慮対象のフィードA で供給される糸と係合しない。
【００９２】
休止位置では、針6,106 は、もし編成する場合、針がフィードA で供給される糸と係合する位置、又はわずかに更に上昇した位置で、その上端又はその唯一の先端がニードルシリンダ1,101 から上方に引抜かれ、その結果、針6,106 によって以前に形成された編地の任意のループがラッチより下の針6,106 のシャンク(shank) に位置する。
【００９３】
尚、編機の電源供給の不測の中断があって、選択装置の動作を妨げ、実行されているプログラムをリセットしたとしても、この状況が生じる。この場合、接続要素4,104 がその経路のあり得るいずれの点にあっても、選択装置が介入に失敗すると、接続要素が作動位置にそのヒール4a,104a を有する場合、それがプレッサに出会うとすぐに、接続要素のヒール4a,104a で非作動位置に移動されるので、選択装置の介入の失敗は、編機へのどんな損傷も引き起こさず、それ故、フィードA では、スライダ３又は針106 は、そのヒール3a,103a がセンターカム26,126の上を通過して、選択装置の動作を回復した後でなければ、もはや下げられない。
【００９４】
第２実施形態では、説明された動作と同様の動作が、針６に関して、針が上部ニードルシリンダ42にあり、スライダ3'と係合されるとき生じる。図３は、更にスライダ3'の固定ヒール3a及び接続要素4'のヒール4a,4b の経路を示し、それは、上部ニードルシリンダ42に配置され、考慮対象のフィードA で編成するために移動される必要がない針６に相当する。
【００９５】
任意にはその移動可能なヒール4a,104a が作動位置にあってもよい対応する接続要素4,104 が、非作動位置でその移動可能なヒール4a,104a の安全な通行を引き起こしたプレッサ62,162を通過した後、針６が、下部ニードルシリンダ１又はニードルシリンダ101 で、考慮対象のフィードA で編地を形成する必要があるとき、ニードルシリンダ1,42又はニードルシリンダ101 が、一組のカムに対して、矢印35,135によって示された方向に自軸回りの回転動作で作動されて、接続要素は、選択装置21,121の介入によってヒール4a,104a で作動位置に戻される。
【００９６】
この事実の結果として、スライダ３又は針106 は、引抜きカム28,128との係合によって上げられた後、ヒール4a,104a の引込みカム32,132との係合の結果として下げられる。この理由により、図４及び９に示されるように、スライダ３のヒール3a又は針106 のヒール103aは、センターカム26,126と、ひいてはノックオーバーカム29,129と係合する。針6,106 は、考慮対象のフィードA で供給される糸と係合し、以前に形成された編地のループを下げて、編地の新たなループを形成する。
【００９７】
代わりに、第２実施形態では、作動位置にその移動可能なヒール4aを有してもよい対応する接続要素4'が、その移動可能なヒール4aの非作動位置への安全な通行を引き起こしたプレッサ65を通過した後、上部ニードルシリンダ42でスライダ3'と係合された針６が、考慮対象のフィードA で編成する必要があるとき、接続要素は、上部ニードルシリンダ42の側面に面し、選択装置21と同様の選択装置の介入によって、そのヒール4aが作動位置に戻される。
【００９８】
この事実の結果として、スライダ3'は、引抜きカム28' との係合によって下げられた後、ヒール4aの引込みカム34との係合により上げられる。この理由により、スライダ3'のヒール3aはノックオーバーカム29' と係合する。図９は、更にスライダ3'のヒール3a及び接続要素4'のヒール4a,4b の経路を示し、それは、上部ニードルシリンダ42に配置され、考慮対象のフィードA で編成するために移動される必要がある針６に対応する。
【００９９】
そのヒール4a,104a を作動位置に有してもよい対応する接続要素4,104 が、ヒール4a,104a の非作動位置への安全な移動を引き起こすプレッサ63,163を通過した後、ダブルシリンダ編機の場合には下部ニードルシリンダ１に配置された針６が、又はシングルシリンダ編機の場合にはニードルシリンダ101 に配置された針106 が編地を形成する必要があるとき、ニードルシリンダ1,42又はニードルシリンダ101 が、通常の方向に対して反対である、矢印36,136によって示された回転の方向に自軸回りの回転動作で作動される間、接続要素は、選択装置22,122の介入によってヒール4a,104a で作動位置に戻される。
【０１００】
この事実の結果として、スライダ３は、そのヒール3aの引抜きカム30との係合によって上げられた後、又は針106 は、そのヒール103aの引抜きカム130 との係合によって上げられた後、ヒール4a,104a の引込みカム33,133との係合により下げられる。この理由により、図５及び10に示されるように、スライダ３のヒール3a又は針106 のヒール103aは、センターカム26,126、それ故ノックオーバーカム31,131と係合する。針6,106 は、考慮対象のフィードA で供給される糸と係合して、以前に形成された編地のループを下げて、編地の新たなループを形成する。
【０１０１】
考慮対象のフィードA では、考慮対象のフィードA での通過の間に、タック編を形成する必要がある針の休止位置への移動を引き起こすことにより、代わりに、次の通過の間、ニードルシリンダ1,42の回転方向に応じて下げカム29又は31、129 又は131 とのスライダ３のヒール3a又は対応する針106 のヒール103aの係合を引き起こすだけでタック編を生み出すことも可能である。第１の通過の間、以前に形成された編地のループは、ラッチより下の針6,106 のシャンク(shank) に位置する一方、編地の別のループは針6,106 のシャンク(shank) に置かれている。第２の通過の間、針6,106 は編地の新たなループを形成し、それは同時に下げられた編地の前記２つのループと共に編成される。
【０１０２】
このように、ひとつのフィード又はドロップでも、タック編の編成を行なうことが可能である。
【０１０３】
選択装置21,121及び22,122によって、従来のタイプの編機では通常ハンマー(hammers) 又はピッカー(pickers) 及びフラップ(flaps) として公知の装置を用いて得られる編成を行なって、考慮対象のフィードで編成のために移動される針を徐々に低減したり徐々に増加させたりすることも可能であり、そのような装置を用いる必要性がなくなる。
【０１０４】
第２実施形態での編機の操作は、１つのニードルシリンダから別のニードルシリンダへの針の移動に関して、同一出願人の名において、2006年３月31日付イタリア特許出願第MI2006A-000636号の優先権を主張している同時係属出願に記載されており、参照してここに含まれることを前提とする。
【０１０５】
実際、本発明に係る編機は、従来のタイプの靴下類のための円形編機で現在行なうことができるほとんど全ての種類の編成を実行することを可能とするにもかかわらず、一組のカムにおいて移動可能なカムを減らしたり又は除去したりすることさえ可能であるので、意図した目的を完全に達成することが分かった。
【０１０６】
このように考案された編機は、その全ては発明思想の範囲内にある多くの修正及び変更を加えることができ、また細部の全ては、更に他の技術的に等価な要素に置き換えてもよい。
【０１０７】
実際には、用いられる材料並びに寸法は、要件並びに技術の状態に応じて如何なるものであってもよい。
【０１０８】
本出願が優先権を主張しているイタリア特許出願第MI2006A000637号及びイタリア特許出願第MI2006A001378号での開示内容は、参照してここに盛り込まれる。
【０１０９】
任意の請求項の範囲に述べられている技術的特徴の後には参照番号が付記されているが、これらの参照番号は、請求項の範囲の理解度を高めるためだけに含まれているものであり、従って、このような参照番号は、このような参照番号により一例として識別される各要素の解釈をいかなる形においても限定するものではない。
【図面の簡単な説明】
【０１１０】
【図１】靴下類のためのシングルシリンダ円形編機によって構成された、本発明に係る編機の第１実施形態を示し、作動要素の移動可能なヒールが非作動位置にある編機のニードルシリンダの一部を示す軸方向概略断面図である。
【図２】靴下類のためのシングルシリンダ円形編機によって構成された、本発明に係る編機の第１実施形態を示し、作動要素の移動可能なヒールが作動位置にある編機のニードルシリンダの一部を示す軸方向断面図である。
【図３】靴下類のためのシングルシリンダ円形編機によって構成された、本発明に係る編機の第１実施形態を示し、対応する針が編成から除外される必要があるとき、作動要素及び針のヒールがたどる経路を表し、ニードルシリンダの方に向いたその側部から見た投影面であり、編機のフィード又はドロップでの一組の作動カムの一部を示す図である。
【図４】靴下類のためのシングルシリンダ円形編機によって構成された、本発明に係る編機の第１実施形態を示し、対応する針がフィード又はドロップで編成する必要があるとき、作動要素及び針のヒールがたどる経路を表し、図３と同様に、一組の作動カムの一部を示す図である。
【図５】靴下類のためのシングルシリンダ円形編機によって構成された、本発明に係る編機の第１実施形態を示し、対応する針が、図４の方向の反対である回転方向でのニードルシリンダの作動と共に、フィード又はドロップで編地を形成する必要があるとき、作動要素及び針のヒールがたどる経路を表し、図３と同様に、作動要素の一組の作動カムの一部を示す図である。
【図６】靴下類のためのダブルシリンダ円形編機によって構成された、本発明に係る編機の第２実施形態を示し、非作動位置での作動要素の移動可能なヒールと共に下部ニードルシリンダの一部を示す軸方向断面図である。
【図７】靴下類のためのダブルシリンダ円形編機によって構成された、本発明に係る編機の第２実施形態を示し、作動位置での作動要素の移動可能なヒールと共に下部ニードルシリンダの一部を示す軸方向断面図である。
【図８】靴下類のためのダブルシリンダ円形編機によって構成された、本発明に係る編機の第２実施形態を示し、対応する針が編成から除外される必要があるとき、針の作動要素のヒールがたどる経路を表し、ニードルシリンダの方に向いたその側部から見た投影面であり、一組の作動カムの可能な実施形態を示す図である。
【図９】靴下類のためのダブルシリンダ円形編機によって構成された、本発明に係る編機の第２実施形態を示し、対応する針がフィード又はドロップで編地を形成する必要があるとき、針の作動要素のヒールがたどる経路を表し、図８と同様に、一組の作動カムを示す図である。
【図１０】靴下類のためのダブルシリンダ円形編機によって構成された、本発明に係る編機の第２実施形態を示し、対応する針が、図９に関する回転の反対方向でのニードルシリンダの作動と共に、フィード又はドロップで編地を形成する必要があるとき、針の作動要素のヒールがたどる経路を表し、図８と同様に、一組の作動カムを示す図である。
【図１】
0005450050.tif 000002
【図２】
0005450050.tif 000003
【図３】
0005450050.tif 000004
【図４】
0005450050.tif 000005
【図５】
0005450050.tif 000006
【図６】
0005450050.tif 000007
【図７】
0005450050.tif 000008
【図８】
0005450050.tif 000009
【図９】
0005450050.tif 000010
【図１０】
0005450050.tif 000011